(57)【要約】【課題】  清掃性が高く、且つパネルが撓んでもタイト材と接触することがなく、さらに簡易な構造でコストを抑え、劣化や故障の懸念のない引戸を提供する。【解決手段】  枠体１と、枠体１にスライド自在に納めた障子２とを備え、枠体１は上枠１１と、下枠１２と、戸先側縦枠１３と、戸尻側縦枠１４とを四方枠組みしたもので、戸先側縦枠１３と戸尻側縦枠１４の間に方立１５を有し、方立１５にはタイト材３が設けてあり、障子２は上框４と、下框５と、戸先側框６と、戸尻側框７とを四方框組みしてパネル８を嵌め込んだものであり、タイト材３は障子２閉鎖時に、戸尻側框７の見込方向の一方側面に形成したタイト材当接面９に当接するものであり、パネル８が上框４、下框５及び戸先側框６の見込方向中央よりも一方側に片寄らせて設けてあり、戸尻側框７のタイト材当接面９が上框４、下框５及び戸先側框６の一方側見付面４１，５１，６１よりも一方側に位置する。【選択図】      図１
2010077611.tif 000002
【特許請求の範囲】
【請求項１】
枠体と、枠体にスライド自在に納めた障子とを備え、枠体は上枠と、下枠と、戸先側縦枠と、戸尻側縦枠とを四方枠組みしたもので、戸先側縦枠と戸尻側縦枠の間に方立を有し、方立にはタイト材が設けてあり、障子は上框と、下框と、戸先側框と、戸尻側框とを四方框組みしてパネルを嵌め込んだものであり、タイト材は障子閉鎖時に、戸尻側框の見込方向の一方側面に形成したタイト材当接面に当接するものであり、パネルが上框、下框及び戸先側框の見込方向中央よりも一方側に片寄らせて設けてあり、戸尻側框のタイト材当接面が上框、下框及び戸先側框の一方側見付面よりも一方側に位置することを特徴とする引戸。
【発明の詳細な説明】
【技術分野】
【０００１】
本発明は、浴室等の出入口に設ける引戸に関する。
【背景技術】
【０００２】
浴室用の引戸の障子においては、浴室側の凹凸を少なくして清掃性を高めるため、パネルを框の見込方向中央よりも浴室側に設けることがある。しかし、パネルと戸袋部との距離が狭くなるため、パネルに温水がかかって熱膨張により浴室側に撓むと、障子の開閉時にパネルが戸袋部に設けたタイト材と接触して、パネルやタイト材が損傷するおそれがある。そこで、特許文献１の引戸においては、タイト材（係止受片）を障子の開閉動作に連動して浴室側に移動させることで、パネルが係止受片に衝突することを防いでいる。
【特許文献１】特開２００７−２３９３７４号公報
【発明の開示】
【発明が解決しようとする課題】
【０００３】
しかしながら、特許文献１の引戸は、係止受片の可動構造により部品点数が多くなるためコストが増加することや、障子の開閉の度に係止受片が動くので係止受片が劣化したり可動構造が故障したりすることが懸念される。
【０００４】
本発明は、上記事情を鑑みたものであり、清掃性が高く、且つパネルが撓んでもタイト材と接触することがなく、さらに簡易な構造でコストを抑え、劣化や故障の懸念のない引戸を提供することを目的とする。
【課題を解決するための手段】
【０００５】
本発明は、枠体と、枠体にスライド自在に納めた障子とを備え、枠体は上枠と、下枠と、戸先側縦枠と、戸尻側縦枠とを四方枠組みしたもので、戸先側縦枠と戸尻側縦枠の間に方立を有し、方立にはタイト材が設けてあり、障子は上框と、下框と、戸先側框と、戸尻側框とを四方框組みしてパネルを嵌め込んだものであり、タイト材は障子閉鎖時に、戸尻側框の見込方向の一方側面に形成したタイト材当接面に当接するものであり、パネルが上框、下框及び戸先側框の見込方向中央よりも一方側に片寄らせて設けてあり、戸尻側框のタイト材当接面が上框、下框及び戸先側框の一方側見付面よりも一方側に位置することを特徴とする。
【発明の効果】
【０００６】
本発明によれば、パネルが上框、下框及び戸先側框の見込方向中央よりも一方側に片寄らせて設けてあり、障子の一方側面の凹凸が少ないので、清掃性が高い。そして、戸尻側框のタイト材当接面が上框、下框及び戸先側框の一方側見付面よりも一方側に位置していることから、パネルと、方立に他方側に向けて設けたタイト材との距離が確保されるため、パネルが熱膨張により撓んでもタイト材と接触しない。タイト材は固定された構造なので、部品点数が少なくコストが抑えられ、劣化しにくく故障の懸念もない。
【発明を実施するための最良の形態】
【０００７】
以下、本発明の実施の形態を図面に基づいて説明する。なお、本発明の引戸の使用場所は特に限定されるものではないが、以下の実施形態は、浴室と脱衣室を仕切るための浴室用引戸を想定したものとし、前述の一方側は浴室側に、他方側は脱衣室側に相当する。この引戸は、図１及び図４に示すように、枠体１と、障子２とを備える。枠体１は、上枠１１、下枠１２、戸先側縦枠１３及び戸尻側縦枠１４を四方枠組みして、躯体壁面の開口部に設けたものである。枠体１の中央には方立１５が設けてあり、戸尻側縦枠１４と方立１５の間には面材１６が嵌め込んであり、戸袋部１７を形成している。一方、戸先側縦枠１３と方立１５の間は開口している。そして、障子２は、上框４と、下框５と、戸先側框６と、戸尻側框７とを四方枠組みしてパネル８を嵌め込んだもので、枠体１にスライド自在に納めてあり、戸先側縦枠１３と方立１５の間の開口部を開閉する（図２の（ａ）が閉時、（ｂ）が開時である）。障子２の閉鎖時においては、枠体１の方立１５と障子２の戸尻側框７とが対向し、方立１５の脱衣室側面に設けたタイト材３が、戸尻側框７の浴室側に形成したタイト材当接面９に当接し、水密性を確保している。
障子２の各框のうち、上框４、下框５及び戸先側框６については、その浴室側見付面４１，５１，６１が面一に形成され、さらに、パネル８が框の見込方向中央よりも浴室側に片寄らせて設けてあり、その浴室側見付面８１は、上框４、下框５及び戸先側框６の浴室側見付面４１，５１，６１と略同一面上に位置する。一方、戸尻側框７のタイト材当接面９は、上框４、下框５及び戸先側框６の浴室側見付面４１，５１，６１よりも浴室側に位置している。また、障子２の閉鎖時において、戸尻側框７の戸先側見込面７２と、方立１５の戸先側見込面１５２とは同一面上に位置している。さらに、下框５には見込方向に貫通するスリットを設け、通気口２１としてある。なお、障子の各框はアルミニウムの押出成形品であり、パネルはポリスチレン樹脂からなる。
タイト材３は、脱衣室側に向けて突出する二枚の突片を備える。このうち戸尻側の内突片３１は、障子２閉鎖時に戸尻側框７のタイト材当接面９に当接する。一方、戸先側の外突片３２は、方立１５の戸先側端部に設けてあり、障子２の閉鎖時において、戸尻側框７のタイト材当接面９の戸先側端部に当接し、方立１５の戸先側見込面１５２と、タイト材３の外突片３２と、戸尻側框７の戸先側見込面７２とが面一になる。
【０００８】
このように構成した本引戸は、障子２の上框４、下框５及び戸先側框６の浴室側見付面４１，５１，６１と、パネル８の浴室側見付面８１とが略同一面上に位置しており、さらに、障子２の閉鎖時において、方立１５の戸先側見込面１５２と、タイト材３の外突片３２と、戸尻側框７の戸先側見込面７２とが面一になるので、障子２の浴室側にほとんど凹凸がなく、清掃性が良好である。特に浴室用引戸においては、浴室側の凹凸部分に溜まった水がカビの発生原因になり得ることから、凹凸をなくす効果が大きい。そして、パネル８はポリスチレン樹脂製なので、浴室側に温水がかかると、熱せられた部分が膨張して図３に示すように浴室側に撓むが（ただし、図３は説明のために撓みを極端化して描いたものである）、戸尻側框７のタイト材当接面９がパネル８の浴室側見付面８１よりも浴室側に位置していることから、パネル８がタイト材当接面９より浴室側に突出することがない。よって、パネル８が撓んだ状態であってもパネル８とタイト材３との距離が確保されるので、その状態で障子２を開閉しても、パネル８がタイト材３と接触しない。また、障子２の閉鎖時において、戸尻側框７の戸先側見込面７２と、方立１５の戸先側見込面１５２とが同一面上に位置しており、浴室側からは戸尻側框７が見えないので、外観がすっきりとして好ましい。
【０００９】
次に、本発明の引戸の第二実施形態について図５に基づき説明する。ただし、前述の第一実施形態と同様な部分については説明を省く。第二実施形態は、二枚の障子（浴室側障子２ａ、脱衣室側障子２ｂ）を有しており、これらが枠体１に引き違いに納められている。そして、枠体１の方立１５の脱衣室側面にタイト材３が設けてあり、浴室側障子２ａの戸尻側框７ａの浴室側に形成したタイト材当接面９ａに当接している。浴室側障子２ａの各框のうち、上框、下框５ａ及び戸先側框６ａについては、その浴室側見付面が面一に形成され、パネル８ａの浴室側見付面と略同一面上に位置する。一方、戸尻側框７ａのタイト材当接面９ａは、上框、下框５ａ及び戸先側框６ａの浴室側見付面よりも浴室側に位置している。このように構成することで、浴室側の凹凸がほとんどなく清掃性が良好であり、且つパネル８ａとタイト材３との距離が確保されるので、パネル８ａが撓んでもパネル８ａとタイト材３が接触しない。
なお、本実施形態において、浴室側障子２ａの戸先側框６ａの脱衣室側にもタイト材を設けてもよい。この場合、脱衣室側障子２ｂの戸尻側框７ｂの浴室側面にタイト材当接面を形成し、このタイト材当接面が、脱衣室側障子２ｂのパネル８ｂの浴室側見付面よりも浴室側に位置するようにすればよい。
【００１０】
本発明は、上記の実施形態に限定されない。使用場所は浴室に限られず、例えば、屋内と屋外を仕切る引戸であって、パネルが日光により熱せられて撓む場合にも有効である。さらに、各部を構成する素材も自由であり、本発明は熱によって撓みやすい樹脂製のパネルを用いる場合に好適なものであるが、他の素材を用いてもよく、框についても、アルミニウム以外の金属や、樹脂からなるものであってもよい。
【図面の簡単な説明】
【００１１】
【図１】本発明の引戸の水平方向断面図である。
【図２】障子閉時及び開時の戸尻側框部分の水平方向断面図である。
【図３】パネルが撓んだ状態を示す鉛直方向断面図である。
【図４】引戸の浴室側正面図である。
【図５】引戸の第二実施形態の水平方向断面図である。
【符号の説明】
【００１２】
１  枠体
２  障子
３  タイト材
４  上框
５  下框
６  戸先側框
７  戸尻側框
８  パネル
９  タイト材当接面
１１  上枠
１２  下枠
１３  戸先側縦枠
１４  戸尻側縦枠
１５  方立
【図１】
2010077611.tif 000003
【図２】
2010077611.tif 000004
【図３】
2010077611.tif 000005
【図４】
2010077611.tif 000006
【図５】
2010077611.tif 000007